(57)【特許請求の範囲】
【請求項１】
背板と、この背板の前面を覆うカバー部材とを備える椅子において、
前記カバー部材は、
背板の前面を覆う伸縮性の素材からなる前カバーと、
前カバーの後面を覆うようにして前カバーの周縁部に縫着され、前カバーとの間に袋状部を形成する裏打ち材と、
上縁と両側縁とが前カバーおよび裏打ち材の上部に縫着され、裏打ち材の上部との間に、下方に向かって開口し、背板の上部に被嵌される上部袋部を形成する後上部カバーと、
前記袋状部に収容されたクッションパッドとを備え、
前記裏打ち材に、前記前カバー、後上部カバー、裏打ち材、およびクッションパッドを通過させることにより、それらを反転しうるようにした開口を設け、さらに、前記前カバー、後上部カバー、裏打ち材の縫合しろを、カバー部材の内側に位置させたことを特徴とする椅子。
【発明の詳細な説明】
【技術分野】
【０００１】
本発明は、背板と、背板の前面を覆うカバー部材とを備える椅子に関する。
【背景技術】
【０００２】
事務用椅子には、背板を合成樹脂の成形体により形成し、これをそのままの状態で椅子に取り付けたり、またはその前面をカバー部材により覆うことによって、同一仕様の製品であっても、カバーの有無や、カバーの色彩または模様の違いにより、多くの製品バリエーションを確保できるようにしたものがある。
【０００３】
この種のものとしては、例えば特許文献１または２に記載されているようなものがある。
【０００４】
特許文献１に記載されているものは、カバー部材が、背板（背シェル）の前面を覆う前カバーと、前カバーの上部に、前カバーとの間に下方が開口する上部袋部を形成するように取付けた後上部カバーと、前カバーの下部に硬質の芯材を有する被係合部とを備え、上部袋部に背板の上部を嵌合し、被係合部を背板の下部前面に設けた係合部に嵌合することにより、背板前面にカバー部材を取付けるようにしたものである。また、特許文献２にも、上記特許文献１と類似する取付構造が記載されている。
【先行技術文献】
【特許文献】
【０００５】
【特許文献１】米国特許６４９９８０１号公報
【特許文献２】特開２００３−２２５１３９号公報
【発明の概要】
【発明が解決しようとする課題】
【０００６】
しかし、上記のような従来のものにおいては、カバーの有無を含む背板単体の意匠を設計する上で、上記係合部を避けたデザインを設計しなければならず、このため、デザイン上の制約が生ずる欠点がある。
【０００７】
本発明は、従来の技術が有する上記のような問題に鑑み、カバー部材を簡単かつ迅速に取り付けることができるようにすることにより、背板の意匠設計を自由に行え、しかも、背板を、カバー部材装着用のものと、非装着用のものとに共通して使用することができ、さらに、縫合部の縫合しろが外部に露呈することがなく、美麗な外観のカバー部材を製造できるようにした椅子を提供することを目的としている。
【課題を解決するための手段】
【０００８】
本発明によると、上記課題は次のようにして解決される。
（１）背板と、この背板の前面を覆うカバー部材とを備える椅子において、前記カバー部材は、背板の前面を覆う伸縮性の素材からなる前カバーと、前カバーの後面を覆うようにして前カバーの周縁部に縫着され、前カバーとの間に袋状部を形成する裏打ち材と、上縁と両側縁とが前カバーおよび裏打ち材の上部に縫着され、裏打ち材の上部との間に、下方に向かって開口し、背板の上部に被嵌される上部袋部を形成する後上部カバーと、前記袋状部に収容されたクッションパッドとを備え、前記裏打ち材に、前記前カバー、後上部カバー、裏打ち材、およびクッションパッドを通過させることにより、それらを反転しうるようにした開口を設け、さらに、前記前カバー、後上部カバー、裏打ち材の縫合しろを、カバー部材の内側に位置させる。
【０００９】
このような構成によると、カバー部材の取付が簡単かつ迅速にできるとともに、背板自体の造形の自由度が増し、多様な意匠設計が可能となる。
【００１０】
また、各カバーにより、外観的な見栄えが向上するとともに、良好なクッション性も得られる。さらに、縫合部の周囲は、反転させられることにより、前後カバーの内側に隠されるため、外観がよくなる。
【発明の効果】
【００１１】
本発明によると、係合部を設けることなく、カバー部材を簡単かつ迅速に取り付けることができるようにすることにより、背板の意匠設計を自由に行え、しかも、背板を、カバー部材装着用のものと、非装着用のものとに共通して使用することができるようにした椅子を提供することができる。
【図面の簡単な説明】
【００１２】
【図１】本発明の第１の実施形態を備える椅子の側面図である。
【図２】背板を外した状態の椅子分解斜視図である。
【図３】(ａ)、(ｂ)は、それぞれ背板の正面図および側面図である。
【図４】カバー部材を背板に装着するときの状態を、斜め後ろから見た斜視図である。
【図５】カバー部材を背板に装着したときの上部の拡大縦断側面図である。
【図６】同じく、下部の拡大縦断側面図である。
【図７】同じく、中位部の拡大横断平面図である。
【図８】(ａ)、(ｂ)、(ｃ)は、カバー部材の組立手順を例示する斜視図である。
【図９】本発明の第２の実施形態におけるカバー部材を、斜め後ろから見た斜視図である。
【発明を実施するための形態】
【００１３】
図１〜図８は、本発明の椅子の第１の実施形態を示す。
図１および図２に示すように、椅子１は、先端にキャスタ２を備え、かつ放射状の配置とした５本の脚杆３と、全脚杆３の放射状の中心部に立設した脚柱４と、脚柱４の上端に設けた支基５と、支基５上に取り付けられた座板６と、支基５の両側面に取り付けられ、かつ座板６の左右両側方を通って起立する１対の肘掛７と、同じく支基５の両側面に取り付けられ、かつ後上方に延出した後、座板６の後方で所定の傾斜角をなして立上がり、かつ上端同士が連結部８ａにより一体に連結された左右１対の背凭れフレーム８と、背凭れフレーム８に着脱可能に固定された背板９とを備えている。
【００１４】
支基５は、座板６および肘掛７の高さ調整機能や、背板９に荷重が加わった場合におけるクッション調整機能および背板９の前後傾角度を調節するための機能などを備えている。
【００１５】
背板９は、合成樹脂の成形体からなり、その前面は、図３(ｂ)に示すように、椅子に座る人の標準体型の背面曲線に応じて、側面視においてやや下部が前方に突出するほぼく字形に形成されるとともに、平面視において、中央が後方へ凹入する形状に形成され、さらには、外周縁を除くほぼ全面に、図３(ａ)に示すように、多数の縦長の開口１０が、所定の繰返しパターンで設けられている。
【００１６】
背板９は、その後面における両側上下部に設けた連結部１２を、背凭れフレーム８の前面における両側上下部に設けた被連結部１１に連結することにより、背凭れフレーム８の前面に、着脱可能として取り付けられている。
この連結部１２と被連結部１１との連結構造は、本発明には直接関係しないので、詳細な説明は省略する。
【００１７】
図４〜図７に示すように、背板９の前面を覆うカバー部材１３は、背板９の前面を覆う伸縮性の素材からなる前カバー１４と、前カバー１４の後面を覆うとともに、周縁部が前カバー１４の周縁部に縫着(その縫着部を符号Ａをもって示す)された裏打ち材１５と、裏打ち材１５の上部背面を覆うようにして、上縁と両側縁とが上記縫着部Ａの上部において、前カバー１４および裏打ち材１５に縫着され、裏打ち材１５の上部との間に、下方に向かって開口する上部袋部１６ａを形成する後上部カバー１６と、裏打ち材１５の下部背面を覆うようにして、下縁と両側縁とが上記縫着部Ａの下部において、前カバー１４および裏打ち材１５に縫着され、裏打ち材１５の下部との間に、上方に向かって開口する下部袋部１７ａを形成する後下部カバー１７とを備えている。
【００１８】
後上部カバー１６における裏打ち材１５との対向面には、可撓性の補強プレート１８が取り付けられ、後下部カバー１７の上縁部には、左右方向に収縮する、ゴムひも１９等からなる収縮性部材が取り付けられ、また前カバー１４と裏打ち材１５との間に形成された袋状部内には、クッションパッド２０が配設されている。
【００１９】
前カバー１４、裏打ち材１５、後上部カバー１６、および後下部カバー１７は、布地、人工または天然皮革などから構成される伸縮性のシート素材からなり、適宜の色彩、模様および肌触りなどの触感を得られる素材から選択するのが好ましい。
【００２０】
補強プレート１８は、背板９の背面上部の外形に沿ってカットされた合成樹脂製のシート、または薄板状のものとするのがよい。
【００２１】
ゴムひも１９は、平ゴムその他の収縮性部材と交換してもよい。
【００２２】
クッションパッド２０は、軽量軟質の発泡ウレタンなどの弾性および撓曲性に富んだ素材から構成されるものであり、予め背板９の前面形状に応じた曲面に成形されている。なお、このクッションパッド２０および上記補強プレート１８は、各カバー１４、１６、１７および裏打ち材１５の縫製しろを確保するため、それぞれの外形よりやや小さめに形成されている。
しかし、それらとほぼ同形として、縫着部Ａにおいて他の部材とともに縫着して実施することもできる。
【００２３】
図４に示すように、カバー部材１３は、前カバー１４が背板９の前面を覆うようにして、上部袋部１６ａを背板９の上部に、かつ下部袋部１７ａを背板９の下部に、それぞれ被嵌させることにより、背板９に簡単かつ迅速に装着することができる。
【００２４】
裏打ち材１５の下部における後下部カバー１７により覆われる部分には、横長の開口１５ａが設けられている。
この開口１５ａを設けることにより、図８に示すような製造方法が可能となる。
すなわち、図８(ａ)に示すように、前カバー１４と裏打ち材１５との間に、後上部カバー１６および後下部カバー１７を上下に離間させて挟み、かつ前カバー１４の外側面に、クッションパッド２０を、必要に応じて接着剤等により接着して配設し、図８(ｂ)に示すように、前カバー１４と裏打ち材１５と後上部カバー１６と後下部カバー１７との外周縁(クッションパッド２０の外周縁も含めてもよい)を縫着し、その後、図８(ｃ)に示すように、それらを、開口１５ａを通して表裏反転させる。
【００２５】
すると、図５〜図７に示すように、縫合部Ａの縫合しろが、反転させられることにより、すべてカバー部材１３の内側に配設させられて、外部に露呈することがなく、美麗な外観のカバー部材１３を製造することができる。
【００２６】
図９は、本発明の第２の実施形態を示す。なお、第１の実施形態におけるのと同一の部材には同一の符号を付し、異なる部材にのみ異なる符号を付して、説明する。
この例では、前カバー１４の左右両側部を後方に折り返して、折り返し部２１を設け、この折り返し部２１と裏打ち材１５(クッションパッド２０と裏打ち材１５とを省略する場合は、前カバー１４)との間に、上下方向を向く可撓性の補強プレート２２を取り付けてある。
【００２７】
こうすることによって、カバー部材１３を、背板９に装着したとき、両側部の補強プレート２２により、前カバー１４が左右方向に収縮するのを防止することができ、前カバー１４に張りを与えることができる。
【００２８】
本発明は、上記の実施形態のみに制限されるものではなく、特許請求の範囲を逸脱しない範囲で、変形した態様での実施が可能である。
例えば、クッションパッド２０を必要としないときは、クッションパッド２０と裏打ち材１５とを省略して実施することもできる。
【符号の説明】
【００２９】
１  椅子
２  キャスタ
３  脚杆
４  脚柱
５  支基
６  座板
７  肘掛
８  背凭れフレーム
９  背板
１０  開口
１１  被連結部
１２  連結部
１３  カバー部材
１４  前カバー
１５  裏打ち材
１５ａ開口
１６  後上部カバー
１６ａ上部袋部
１７  後下部カバー
１７ａ下部袋部
１８  補強プレート
１９  ゴムひも(収縮性部材)
２０  クッションパッド
２１  折り返し部
２２  補強プレート
Ａ  縫着部
【図１】
0005503690.tif 000002
【図２】
0005503690.tif 000003
【図３】
0005503690.tif 000004
【図４】
0005503690.tif 000005
【図５】
0005503690.tif 000006
【図６】
0005503690.tif 000007
【図７】
0005503690.tif 000008
【図８】
0005503690.tif 000009
【図９】
0005503690.tif 000010